(57)【要約】【課題】花卉、葉物野菜等の植物に対して光照射の位置や強度を制御して、植物を所望の形状に造形可能な植物育成装置を提供すること。【解決手段】植物育成装置において、育成対象の植物が配置される本体部と、この本体部の所定の位置に配置された複数の光源と、を有し、植物を所望の形状に造形するために、植物の特定部位に対応して複数の光源が点灯制御可能であることを特徴とする。【選択図】図１
2013005741.tif 000002
【特許請求の範囲】
【請求項１】
植物育成装置において、
育成対象の植物が配置される本体部と、
該本体部の所定の位置に配置された複数の光源と、を有し、
前記植物を所望の形状に造形するために、 植物の特定部位に対応して
前記複数の光源が点灯制御可能であることを特徴とする植物育成装置。
【請求項２】
前記点灯制御のパターンを記憶するメモリを有し、該メモリに記憶させた点灯制御のパターンのプログラムに従って前記光源の点灯制御を行う制御部を有することを特徴とする請求項１記載の植物育成装置。
【請求項３】
前記制御部は、前記植物の生育特性に応じて前記光源を点灯制御することを特徴とする請求項２に記載の植物育成装置。
【請求項４】
前記複数の光源には、少なくとも青色光源が含まれており、前記植物の上方よりも側方の方が、青色光の前記植物への照度が大きいことを特徴とする請求項１又は２に記載の植物育成装置。
【請求項５】
前記植物の側方に照射される前記青色光の照度は、前記植物の上方に行くに従って小さくなっていることを特徴とする請求項４記載の植物育成装置。
【請求項６】
前記生育特性は、植物の屈光性または光屈性によって特定の光の方向へ前記植物が生長する特性であることを特徴とする請求項３記載の植物育成装置
【請求項７】
前記特定の光とは、青色光であることを特徴とする請求項６記載の植物育成装置。
【発明の詳細な説明】
【技術分野】
【０００１】
本発明は、花卉、野菜などを育成するための植物育成装置に関し、特に、人工光として、光半導体素子を用いて花卉、野菜の生長を制御する植物育成装置に関する。
【背景技術】
【０００２】
近年、自然環境（天候、気候、害虫等）の影響を受けない、人工光を利用した植物育成装置が提案され、そして、その実用化が進められている。
【０００３】
ところで、植物は、光をエネルギー源として、光合成と光形態形成の光反応により生長する。その光の波長は、あらゆる波長の光が植物に吸収されているのではなく、青色領域の４５０ｎｍ付近と赤色領域の６６０ｎｍ付近の２ヵ所にピークを持つ光であることが知られている。
【０００４】
そして、赤色領域の波長６６０ｎｍ付近は、植物の生長を促す基本的な光合成の作用を担う光であり、青色領域の波長４５０ｎｍ付近は、光形態形成である種子発芽、花芽分化、開花、子葉と葉の生長、葉緑素合成、節間伸長など植物の質的変化の作用を担う光であり、さらに、光形態形成をつかさどる植物の光受容体のフォトトロピンは、青色波長の光に向かって植物が伸長する光屈性を制御する。
【０００５】
従って、植物の特定部位である茎の先端部（頂芽）や葉に、この二つの赤色と青色の波長領域の光の照射を制御することにより、植物の生長と形態形成を制御することが可能となる。そして、この波長領域に一致した人工光として、赤色発光ダイオードと青色発光ダイオードが消費電力、耐久性、照射光強度の制御の容易性などの特徴から広く採用されている。
【０００６】
従来の植物育成装置としては、下記特許文献１に記載の「蕎麦スプラウト育成装置」が知られている。この蕎麦スプラウト育成装置は、装置の天井部に配置された複数の赤色・青色・緑色・近赤外・紫外の発光ダイオード（以後ＬＥＤと記す）からの光を上方からスプラウトの子葉へ照射して、健康によいといわれるルチンの含有量を最大にするように構成されている。更に、その装置は、青色のＬＥＤからなる補助光照射部が側壁部に配置され、スプラウトの茎を横から照射し、スプラウトの茎部を赤色化して、外観的にも良く、食感をそそる蕎麦のスプラウトを育成する装置として提案されている。
【０００７】
また、他の従来の植物育成方法としては、下記特許文献２に記載のものが知られており、植物の上方から青緑色ＬＥＤと白色ＬＥＤから個別に発せられる光を混合して照射し、且つ、植物の横方向から赤色ＬＥＤによる光を照射するようになっている。すなわち、植物の生長を促進する波長の光が植物を取り巻くように複数の方向に配置され、ＬＥＤから発せられた光が植物の部位に均等に照射されることにより、植物を偏らないで健全に生長させる方法が提案されている。
【先行技術文献】
【特許文献】
【０００８】
【特許文献１】特開２００５−１５１８５０号公報（５頁、図１）
【特許文献２】特開２００５−１９２５１７号公報（３頁、図１）
【発明の概要】
【発明が解決しようとする課題】
【０００９】
しかしながら、特許文献１に示す従来の植物育成装置は、上方の光だけでなく側方からの光を植物に照射しているにもかかわらず、側壁部に配置された青色ＬＥＤの光は、補助的に単にスプラウトの茎部の赤色化に用いられているだけであって、植物の光形態形成に与える効果を意図せず、植物の生長を制御する装置の提案ではない。
【００１０】
そして、特許文献２に示す従来の植物育成方法は、複数の光源が植物を取り巻くように配置され、回りから満遍なく光を植物に照射しているのであるが、それは単に植物を偏らないように生長させる育成方法を提案しているに過ぎず、植物の生長を制御して育成する方法でない。
【００１１】
すなわち、従来の植物育成装置は、植物の生長において、茎、葉、開花等の促進や抑制の制御を可能とする装置及び方法ではなかった。
【００１２】
本発明の目的は、花卉、葉物野菜等の植物に対して光照射の位置や照度の強さを制御して、植物を所望の形状に造形可能な植物育成装置を提供することにある。
【課題を解決するための手段】
【００１３】
本発明は、植物育成装置において、育成対象の植物が配置される本体部と、この本体部の所定の位置に配置された複数の光源と、を有し、植物を所望の形状に造形するために、植物の特定部位に対応して複数の光源が点灯制御可能であることを特徴とするものである。
【００１４】
この場合、点灯制御のパターンを記憶するメモリを有し、該メモリに記憶させた点灯制御のパターンのプログラムに従って光源の点灯制御を行う制御部を有するのが好ましい。
【００１５】
また、制御部は、植物の生育特性に応じて光源を点灯制御するのが好ましい。
【００１６】
複数の光源には、少なくとも青色光源が含まれており、植物の上方よりも側方の方が、青色光の植物への照度が大きくなっていてもよい。
【００１７】
この場合、植物の側方に照射される青色光の照度は、植物の上方に行くに従って小さくなっているのが好ましい。
【００１８】
生育特性は、植物の屈光性または光屈性によって特定の光の方向へ植物が生長する特性であってもよい。
この場合、特定の光とは、青色光であるのが好ましい。
【発明の効果】
【００１９】
以上のように、本発明の植物育成装置は、特定波長の光に対する植物の光屈性による生長、伸長の特性に基づき、茎の特定部位の頂芽に対応して、複数の光源の点灯を制御して頂芽を照射することで、頂芽の生長方向の制御が可能であるので、花卉をトピアリーのように造形することが可能となる。更に、特定波長の光に対する植物の光形態形成の特性に基づき、葉物野菜の葉の特定部位に対応して複数の光源の点灯を制御して、それぞれの葉に照射する光量を変え、それぞれの葉の伸長、拡張を制御することで、所望の形状に葉物野菜を生長させることが可能な植物育成装置を提供することが可能となる。
【図面の簡単な説明】
【００２０】
【図１】本発明の実施例１における植物育成装置の部分断面模式図である。
【図２】本発明の実施例１における植物育成装置の植物の生長の制御を説明するための部分断面模式図である。
【図３】図２に続く植物の生長の制御を説明するための部分断面模式図である。
【図４】本発明の実施例２における植物育成装置の植物の生長を説明するための部分断面模式図である。
【図５】本発明の実施例３における植物育成装置の植物の生長を説明するための部分断面模式図である。
【発明を実施するための形態】
【００２１】
以下、本発明の植物育成装置の実施例を図面に基づき説明する。
なお、以下に説明する実施例１については、植物が有する光屈性の特性に基づいて、トピアリーのような、植物を所望の形状に造形して、懸崖の菊のように造形する例で説明する。
［実施例１]
図１から図３は、本実施例１の植物育成装置の構成と植物の造形を説明するための図面であり、図１は、この植物育成装置の構成を説明するための模式的な部分断面図であり、図２は、植物育成装置の複数の光源を制御して植物を造形する過程を説明するための部分断面模式図であり、図３は、図２の続きの造形過程を説明するための部分断面模式図である。
［実施例１の全体構成：図１］
図１を用いて、実施例１の植物育成装置１の全体構成を説明する。
図１（ａ）に示すように、実施例１の植物育成装置１は、本体部１１と培養容器２１からなり、培養容器２１の培土２２に植えられ懸崖の菊のように生長した植物５（以下花卉５と記す）を覆い囲うように本体部１１が形成されている。本体部１１と培養容器２１には、その本体部１１の上方、側方、下方の内側にそれぞれ光源Ａ１〜Ａ８が配置構成され、それぞれの光源が花卉５に向かって光を照射する複数のＬＥＤを備えている。
【００２２】
光源Ａ１、Ａ２は、図１（ｂ）に示すように、回路基板４３に複数個の赤色ＬＥＤ４１、青色ＬＥＤ４２が均等に実装されている。そして、本体部１１の側方に配置される光源Ａ３、Ａ４，Ａ５、Ａ６と下方に配置される光源Ａ７、Ａ８も、光源Ａ１、Ａ２とほぼ同じような回路基板に、複数個の赤色ＬＥＤ４１、青色ＬＥＤ４２が均等に実装されている。
【００２３】
制御部３１は、図示しないＣＰＵ、入出力装置、メモリ、制御回路、ＬＥＤ駆動回路等を備え、メモリに記憶させた点灯制御のパターンのプログラムに従って、リード線３４を介して各光源Ａ１〜Ａ８に電力を供給し、それぞれの光源の赤色ＬＥＤ４１、青色ＬＥＤ４２の点灯と消灯の制御、及び照度の強さの制御を行うようになっている。
【００２４】
そして、植物育成装置１は、青色光の波長領域に反応する植物の光屈性の特性に基づき、制御部３１のメモリに記憶させた点灯制御のパターンのプログラムに従って、花卉５の特定部位である茎の頂芽を伸長させる方向の光源Ａ１〜Ａ８から青色ＬＥＤの光を照射して、茎を誘導させ、茎の形状を所望の形状に形成する。
［実施例１の花卉の所望の形状育成の説明：図２、図３］
図１に示す花卉５のような所望の形状に造形するプログラムを、図２と図３に示す順序で説明する。すなわち、培養する花卉５をトピアリーのように造形するため、制御部３１のメモリ（図示せず）に記憶させたプログラムに基づいて、花卉５の特定部位の茎の頂芽に対応して光源の青色ＬＥＤを点灯する順序と花卉５の頂芽の伸長とを、順を追って説明する。
【００２５】
図２に示すステップＳＴ０１の植物育成装置１において、花卉５の発芽から茎の頂芽の位置Ｐ１までの生長については、通常の生育のように、上方の左光源Ａ１と右光源Ａ２から赤色ＬＥＤと青色ＬＥＤの光を均等に点灯して照射する。これにより、花卉５は、真直ぐ上に向かって生長する。
【００２６】
そして、ステップＳＴ０１に示すように、花卉５の茎の頂芽がＰ１の位置に達すると、頂芽がＰ２に伸長するように、制御部３１の点灯制御のパターンにより、光源の点灯を変更する。すなわち、上方の左光源Ａ１と左側方の上の光源Ａ５から青色ＬＥＤの光ａ１、ａ５を点灯して、花卉５の特定部位の茎の頂芽を照射する。そして、茎の頂芽は、植物の光屈性の特性に従って、左斜め上方の位置Ｐ２に向かって伸長する。
【００２７】
次に、ステップＳＴ０２に示すように、茎の頂芽がＰ２の位置に達すると、前ステップと同様に、点灯制御のパターンに従って、頂芽が位置Ｐ３に伸長するように、光源の青色ＬＥＤの光の照射を変更する。
【００２８】
すなわち、点灯制御のパターンは、上方の光源Ａ１と左側方の上の光源Ａ５の青色ＬＥＤの光ａ１、ａ５を消灯し、上方の光源Ａ２と右側方の上の光源Ａ３の青色ＬＥＤの光ａ２、ａ３を花卉５の特定部位の茎の頂芽Ｐ２に照射することである。従って、植物の頂芽Ｐ２は光屈性により右方向の位置Ｐ３に向かって伸長する。
【００２９】
次に、ステップＳＴ０３に示すように、茎の頂芽がＰ３の所定の位置に達すると、前ステップと同様に、点灯制御のパターンに従って、頂芽が位置Ｐ４に伸長するように、光源の照射を変更する。
【００３０】
すなわち、点灯制御のパターンは、上方の光源Ａ２と右側方の上の光源Ａ３の青色ＬＥＤの光ａ２、ａ３を消灯し、右側方の下の光源Ａ４の青色ＬＥＤの光ａ４を茎の頂芽Ｐ３に照射する。従って、茎の頂芽Ｐ３は光屈性により右斜め下方向の位置Ｐ４に向かって伸長する。
【００３１】
次に、図２に引き続き図３のステップＳＴ０４に示すように、茎の頂芽がＰ４の位置に達すると、点灯制御のパターンに従って、頂芽が位置Ｐ５に伸長するように、右側方の下の光源Ａ４の青色ＬＥＤの光ａ４を継続し、加えて下方の右光源Ａ８の青色ＬＥＤの光ａ８を茎の頂芽Ｐ４に照射する。従って、植物の頂芽Ｐ４は光屈性により更に右斜め下方向の位置Ｐ５に向かって伸長する。
【００３２】
次に、ステップＳＴ０５に示すように、茎の頂芽がＰ５の位置に達すると、点灯制御のパターンに従って、頂芽が位置Ｐ６に伸長するように、右側方の下の光源Ａ４の青色ＬＥＤの光ａ４を消灯し、下方の右光源Ａ８の青色ＬＥＤの光ａ８だけを茎の頂芽Ｐ５に照射する。従って、茎の頂芽Ｐ５は、光屈性により、位置Ｐ６に向かって伸長する。
【００３３】
そして、ステップＳＴ０６に示すように、茎の頂芽がＰ６の位置に達し、花卉５が所望の形状に造形されて、造形に関する点灯制御が終了する。なお、各ステップにおいて、青色光の照射をしない光源からは、赤色光の照射をおこなって、花卉植物５の生長を促す光合成を行うことが好ましい。
【００３４】
そして、開花の点灯制御のパターンのプログラムに基づき、赤色ＬＥＤの光の照射を行って、花卉５に十分な光合成を行わせ、栄養生長から生殖生長への転換を促す。そして、花芽分化の時期のタイミングを見計らって光源Ａ１、Ａ２、Ａ３、Ａ４から青色ＬＥＤの光の照射を行い、花芽分化を促し、開花させて、図１に示すような、トピアリーとしての
、懸崖の菊のような造形が完成する。
【００３５】
すなわち、実施例１の植物育成装置１は、植物の青色の光に対する光屈性を用いて、本体部、培養容器に備えられた複数の光源の青色ＬＥＤの光を、予めメモリされた点灯制御のパターンのプログラムに基づき、花卉の頂芽の位置に対応して順次青色光を照射することで、花卉の形状を所望の形状に伸長生長させることが可能となり、トピアリーとしての造形が可能となる。この点灯制御のパターンの切り替えは、目視で監視して行ってもよいし、センサをつけて監視しながら行っても良い。
［実施例２］
以下に説明する実施例２は、植物の生育特性の光形態形成にあって、実施例１の光屈性の茎の伸長を制御することと異なり、青色光に対する光形態形成の葉の伸長と拡張の特性に基づき、葉物野菜の葉っぱを所望の形状、すなわち、丈の低い大きな葉っぱを有する葉物野菜を育成する植物育成装置を提案するものである。
【００３６】
図４は、この植物育成装置の全体構成を説明するための部分断面模式図である。なお、図において実施例１と同一の構成部材には同一の番号を付して、重複する説明は省略する。
［実施例２の全体構成：図４］
図４を用いて、実施例２の植物育成装置２の全体構成を説明する。
図４に示すように、実施例２の植物育成装置２は、実施例１と同様に、本体部１２と培養容器２１からなり、培養容器２１で生長した葉物野菜６を覆い囲うように本体部１２が形成されている。その本体部１２の上方に光源Ｂ１、側方の両側にそれぞれ光源Ｂ２が配置され、それぞれの光源が葉物野菜６に光を照射する構成を形成している。
【００３７】
光源Ｂ１は、図１（ｂ）に示す実施例１と同様に、回路基板４４に赤色ＬＥＤ４１と青色ＬＥＤ４２が複数個均等に実装され、光源Ｂ２も、回路基板４５に赤色ＬＥＤ４１と青色ＬＥＤ４２が複数個均等に実装されている。
【００３８】
制御部３２は、実施例１と同様に、図示しないＣＰＵ、入出力装置、メモリ、制御回路、ＬＥＤ駆動回路等を備え、メモリに記憶させた点灯制御のパターンのプログラムに従って、リード線３４を介して光源Ｂ１、Ｂ２に電力を供給し、光源Ｂ１、Ｂ２に実装された個々の赤色、青色ＬＥＤの点灯時間及び照度の大きさを、葉物野菜６の葉っぱの位置に対応して点灯制御する機能を有している。
［葉物野菜の所望の形状育成の説明］
葉物野菜６が発芽してから図４に示す大きさに生長する間は、制御部３２の点灯制御により、上方の光源Ｂ１から、赤色光と青色光の光を照射して葉物野菜６の光合成と光形態形成により頂芽と葉っぱの生長を促し、側方両側の光源Ｂ２の赤色光、青色光の照射で全体バランスの取れた葉物野菜６の生長を可能としている。
【００３９】
そして、図４に示すような葉物野菜６の葉っぱの伸長と拡張を図る時期において、制御部３２の点灯制御のパターンに基づき、両側方の光源Ｂ２は、葉物野菜６の特定部位の葉っぱ６１、６２、６３の、下から上それぞれの位置に対応して、青色光だけをそれぞれ図中矢印で示すｂ２１、ｂ２２、ｂ２３のように照射する。しかも、青色光ｂ２１、ｂ２２、ｂ２３の照度の大きさがｂ２１＞ｂ２２＞ｂ２３になるように制御部３２により青色ＬＥＤに供給する電力を制御する。
【００４０】
従って、光形態形成の特性により、より強い青色光の照射を受ける下の葉っぱほど、上の葉っぱより大きく伸長、拡張した所望の形状の葉物野菜を形成することが可能となる。
【００４１】
一方、光源Ｂ１は、図４に示すような葉物野菜６の葉っぱ６１、６２、６３の伸長拡張
する時期においては、青色光を消灯し、上方から赤色光を葉物野菜６に照射し光合成を促す機能が主となる。すなわち、上方から照射される赤色ＬＥＤの光は、上から下に向かって順に大きくなる葉っぱを照射するから、上から下までの全ての葉っぱに赤色光が行き渡って葉物野菜６の十分な光合成を可能としている。
【００４２】
しかも、葉物野菜６の頂芽は、赤色光だけでは伸長が弱く、弱い青色光の照射を両側方から受けていても、上方に伸長しにくく、丈の低い大きな葉っぱを有する所望の形状の葉物野菜を得る事が可能となる。
【００４３】
本実施例の植物育成装置２は、上方から主に赤色光、両側方から主に青色光を葉物野菜に照射する構成を形成し、植物の光形態形成に強く影響する青色光を制御して、下方の葉っぱに対する照度を大きく、上方の葉っぱに対する照度を小さくする点灯制御によって、葉幅のある大きな葉を有する草丈の低い所望の形状の葉物野菜の育成が可能である。
更に、植物工場においては、葉丈の低い葉物野菜の育成により、植物育成装置を配置する栽培棚の段数が多くなり、栽培効率の向上が図れる。
【００４４】
青色光は光形態形成に強く影響し葉の伸長拡張効果が顕著であるから、両側方の光源Ｂ２は、赤色ＬＥＤを減らし青色ＬＥＤの実装個数を増やし、下の葉っぱを照射する青色光の照度を大きくすることが望ましい。
［実施例３］
以下に説明する実施例３については、実施例２と同様に、植物が有する光形態形成の葉の伸長と拡張を促す特性に基づいて、葉物野菜の葉の伸長、拡張を所望の形状、すなわち、丈の低い大きな葉っぱを有する葉物野菜を育成する植物育成装置について説明する。
【００４５】
図５は、この植物育成装置の全体構成を説明するための部分断面模式図である。なお、図において実施例２と同一の構成部材には同一の番号を付して、重複する説明は省略する。
［実施例３の全体構成：図５］
図５を用いて、実施例３の植物育成装置３の全体構成を説明する。
【００４６】
図５に示すように、実施例３の実施例２と異なる点は、本体部１３の両側方の壁が培養容器２１の下方から上方に向かって拡幅する斜面を形成し、その両側の斜面に光源Ｂ３が配置されていることにある。更に、光源Ｂ３には、青色ＬＥＤ４２だけが複数個実装され、そして、その発光方向が水平となるように回路基板４６に斜めに実装されている。
【００４７】
その他の構成は、実施例２と同様であって、葉物野菜６に対する光の照射に関しては、上方から光源Ｂ１の光が照射され、側方の両側からは、光源Ｂ３の光が照射する構造を形成している。
【００４８】
そして、両側方の斜面に配置された光源Ｂ３の青色ＬＥＤ４２は、葉物野菜６との距離は下方が近く、上方に行くに従って遠く離れる構成を形成している。従って、制御部３３が光源Ｂ３の青色ＬＥＤ４２に一定電力を供給しても、葉物野菜６に対し照射する光は、葉物野菜６の特定部位の葉っぱ６１、６２、６３に対し青色光ｂ３１、ｂ３２、ｂ３３の照度の大きさがｂ３１＞ｂ３２＞ｂ３３であることを可能としている。
［葉物野菜の所望の形状育成の説明］
葉物野菜６が発芽してから図５に示す大きさに生長するまでは、実施例２と同様に、制御部３３の点灯制御により、少なくとも上方の光源Ｂ１から、赤色光、青色光の両方の光を照射して葉物野菜６の光合成と光形態形成の頂芽と葉っぱの生長を上方向に促し、葉物野菜の生長を可能としている。
【００４９】
そして、図５に示すような葉物野菜６の葉っぱの伸長拡張を図る時期において、実施例２と同様に、植物育成装置３で培養されている葉物野菜６に対して、上方からは光源Ｂ１の赤色光が照射され、両側の側方からは、斜めに配置された光源Ｂ３の青色光が照射される。そして、光源Ｂ３の青色ＬＥＤによって、下方の葉っぱが最も照度の大きい青色光の照射を受け、上に行くに従って、徐々に照度が小さくなる。すなわち、上述したように、葉物野菜６に対し照射する光は、葉物野菜６の特定部位の葉っぱ６１、６２、６３に対し青色光ｂ３１、ｂ３２、ｂ３３の照度の大きさは、ｂ３１＞ｂ３２＞ｂ３３の順となる。
【００５０】
従って、光形態形成の特性により、より強い青色光の照射を受ける下の葉っぱほど、上の葉っぱより大きく伸長、拡張した所望の形状の葉物野菜を形成することが可能となる。
【００５１】
一方、光源Ｂ１は、実施例２と全く同様に、図５に示すような葉物野菜６の葉っぱ６１、６２、６３の伸長拡張する時期においては、青色光を消灯し、上方から赤色光を葉物野菜６に照射し光合成を促す機能が主となり、上から下までの全ての葉っぱに赤色光が行き渡って葉物野菜６の十分な光合成を可能としている。
【００５２】
しかも、葉物野菜６の頂芽は、赤色光だけでは伸長が弱く、弱い青色光の照射を両側方から受けていても、上方に伸長しにくく、丈の低い大きな葉っぱを有する所望の形状の葉物野菜を得る事が可能となる。
【００５３】
本実施例の植物育成装置３においては、側方の光源を斜めに配置することで、制御部３３に光強度の制御の負担がなく、葉物野菜６の丈の下方には、照度が大きく、上方には照度が小さい青色光の照射が提供可能であるから、草丈の低い葉幅のある大きな葉を有する所望の形状の葉物野菜の育成が、実施例２と同様に、可能となる。
更に、植物工場においても、葉丈の低い葉物野菜の育成により、植物育成装置を配置する栽培棚の段数が多くなり、実施例２と同様に、栽培効率の向上が図れる。
【００５４】
本発明において、光源の光半導体素子は、複数個の赤色ＬＥＤと青色ＬＥＤが実装された例で説明したが、植物の種類によっては、光形態形成に係わる光の波長領域に違いがあり、例えば、白色ＬＥＤや青緑色ＬＥＤの光に影響される植物もあり、赤色ＬＥＤ、青色ＬＥＤに限定されるものではない。
【００５５】
なお、本発明は、上述した植物育成装置の実施例に限定されることはなく、それらの全てを行う必要もなく、特許請求の範囲の各請求項に記載した内容の範囲で種々に変更や省略をすることが出来ることは言うまでもない。
【符号の説明】
【００５６】
１、２、３：植物育成装置
５：花卉（植物）
６：葉物野菜
１１、１２、１３：本体部
２１：培養容器
２２：培土
３１、３２、３３：制御部
３４：リード線
４１：赤色ＬＥＤ
４２：青色ＬＥＤ
４３、４４、４５、４６：回路基板
Ａ１、Ａ２、Ａ３、Ａ４、Ａ５、Ａ６、Ａ７、Ａ８：光源
Ｂ１、Ｂ２、Ｂ３：光源
【図１】
2013005741.tif 000003
【図２】
2013005741.tif 000004
【図３】
2013005741.tif 000005
【図４】
2013005741.tif 000006
【図５】
2013005741.tif 000007